(57)【特許請求の範囲】
【請求項１】
それぞれ画像を含む複数の記事を表示する表示部と、
１以上の処理の対象とすべき１の記事を前記表示部に表示された複数の記事から選択する操作を受け付ける操作部と、
前記操作を受け付けた場合、前記選択された１の記事に含まれる画像に、該記事を対象とする１以上の処理にそれぞれ対応する１以上のアイコンを重ねて前記表示部に表示させる画像処理部と、
を備えたことを特徴とする情報処理装置。
【請求項２】
前記画像処理部は、前記選択された１の記事に含まれる画像を、前記複数の記事を覆うように前記表示部に表示させることを特徴とする請求項１記載の情報処理装置。
【請求項３】
前記画像処理部は、前記選択された１の記事に含まれる画像を拡大して前記表示部に表示させることを特徴とする請求項１または２記載の情報処理装置。
【請求項４】
前記画像処理部は、前記選択された１の記事に含まれる画像の情報量を減少させて前記表示部に表示させることを特徴とする請求項１ないし３記載の情報処理装置。
【請求項５】
前記画像処理部は、前記選択された１の記事に含まれる画像を、各画素を該画素の周辺画素の平均に置き換えることにより情報量を減少させて前記表示部に表示させることを特徴とする請求項４記載の情報処理装置。
【請求項６】
それぞれ画像を含む複数の記事を表示部に表示し、
１以上の処理の対象とすべき１の記事を前記表示部に表示された複数の記事から選択する操作をし、
前記操作を受け付けた場合、前記選択された１の記事に含まれる画像に、該記事を対象とする１以上の処理にそれぞれ対応する１以上のアイコンを重ねて前記表示部に表示させることを特徴とする情報処理方法。
【請求項７】
表示部と、操作部と、画像処理部と、を有する情報処理装置のコンピュータに、
前記表示部が、それぞれ画像を含む複数の記事を表示する手順、
前記操作部が、１以上の処理の対象とすべき１の記事を前記表示部に表示された複数の記事から選択する操作を受け付ける手順、
前記画像処理部が、前記操作を受け付けた場合、前記選択された１の記事に含まれる画像に、該記事を対象とする１以上の処理にそれぞれ対応する１以上のアイコンを重ねて前記表示部に表示させる手順、
を実行させるためのプログラム。
【発明の詳細な説明】
【技術分野】
【０００１】
本発明は、情報処理装置、情報処理方法、及びプログラムに関する。
【背景技術】
【０００２】
パーソナルコンピュータの中にはメニュー画面上で複数のアイコンを表示し、それらのアイコンの中からユーザが選択して所望の作業を行うことができるものがある（例えば、特許文献１参照。）。
特許文献１に記載の発明は、メニュー画面上で実装ハードディスクパックの領域設定を含む処理作業をデータ消失等の不都合を招くことなく容易に行なえることを目的とするものであり、具体的には、ハードディスク装置が実装されているとき、メニュー画面上の機能表示部を有効表示状態に設定し、該当するファンクションキーの入力を許可するものである。
【先行技術文献】
【特許文献】
【０００３】
【特許文献１】特開平６−１２２０９号公報
【発明の概要】
【発明が解決しようとする課題】
【０００４】
ところで、スマートホンのような携帯型の情報処理装置に特許文献１に記載の技術を用いた場合、スマートホンの画面がパーソナルコンピュータの画面より小さいため、背景画像を縮小して多数のアイコンを重ねて表示し、選択したアイコンをクリックした後、どのアイコンを選択したのかが不明となり、画面を元に戻して探すことがあり、不便である。
そこで、本発明の目的は、携帯型の情報処理装置におけるアイコンの操作性を向上させることにある。
【課題を解決するための手段】
【０００５】
上記課題を解決するため、請求項１記載の発明は、それぞれ画像を含む複数の記事を表示する表示部と、１以上の処理の対象とすべき１の記事を前記表示部に表示された複数の記事から選択する操作を受け付ける操作部と、前記操作を受け付けた場合、前記選択された１の記事に含まれる画像に、該記事を対象とする１以上の処理にそれぞれ対応する１以上のアイコンを重ねて前記表示部に表示させる画像処理部と、を備えたことを特徴とする。
【発明の効果】
【０００６】
本発明によれば、携帯型の情報処理装置におけるアイコンの操作性を向上させることができる。
【図面の簡単な説明】
【０００７】
【図１】本実施形態の情報処理装置１００のブロック図の一例である。
【図２】図１に示した情報処理装置に用いられる情報ソーステーブルの一例である。
【図３】（ａ）〜（ｄ）は、図１に示した情報処理装置に表示される画面遷移の一例を示す説明図である。
【図４】トップ画面の遷移例を示す説明図である。
【図５】（ａ）は、ディテール画面の一例であり、（ｂ）は、（ａ）のディテール画面に記事画像の情報量を減少させた画像を重ね、記事画像の上にアイコンが透過するように配置した画面の一例である。
【図６】図１に示した情報処理装置の動作を説明するためのフローチャートの一例である。
【発明を実施するための形態】
【０００８】
＜構  成＞
本実施形態について図面を参照して説明する。
図１は、本実施形態の情報処理装置１００のブロック図の一例である。
本実施形態の情報処理装置１００は、通信部１０、操作部と表示部とが一体化した操作表示部２０、記憶部３０、及び制御部４０を有する。
【０００９】
通信部１０は、基地局との間での無線による情報の授受を行う。基地局はインターネット等のネットワークを介して、各種Ｗｅｂサーバ２００等に接続する。また、ＴＶ受信用アンテナ及びＴＶチューナを備えることによりＴＶ番組表のデータやＴＶ番組放送を受信することが可能である。
【００１０】
表示部は、それぞれ画像を含む複数の記事を表示し、操作部は、１以上の処理の対象とすべき１の記事を表示部に表示された複数の記事から選択する操作を受け付ける。
操作部と表示部とが一体化した操作表示部２０は、例えばタッチパネルディスプレイが挙げられ、各種記事を表示すると共に、ユーザによる操作入力を受け付ける。操作表示部２０に表示する記事としては、例えば、ドラマ、映画、ドキュメント、バラエティ、ニュース、音楽、広告等、あるいはこれらを組みあわせた各種情報が挙げられる。
【００１１】
記憶部３０は、各種記事を記憶するデバイスであり、例えばＳＳＤ（Solid State Device）が挙げられる。本実施形態の記憶部３０は、記事蓄積部３１を有する。記事蓄積部３１は、ネットワーク上の各種Ｗｅｂサーバ２００等に格納されている各種記事を取得して予め定めたカテゴリ毎に分類して蓄積する。
【００１２】
図２は、図１に示した情報処理装置に用いられる情報ソーステーブルの一例である。
記事蓄積部３１は、例えば、図２に示すような情報ソーステーブルに基づいてインターネット上の各種Ｗｅｂサーバ２００等から取得した記事を記憶する。
図２に示す情報ソーステーブルは、「政治」、「経済」、及び「スポーツ」等のカテゴリが各ＵＲＩ（Uniform Resource Identifier）に紐付けられている。
【００１３】
制御部４０は、情報処理装置１００の制御を行う機能を有する回路であり、例えばマイクロプロセッサ、メモリ及びＩ／Ｏが挙げられる。本実施形態の制御部４０は、記事取得部４１、個人的注目度解析部４２、社会的注目度解析部４３、記事選択部４５、画像処理部４６を有する。
【００１４】
記事取得部４１は、通信部１０によりネットワークを介して各種Ｗｅｂサーバ２００に接続し、各種記事を取得する。記事取得部４１が取得した各種記事は、記事蓄積部３１にカテゴリ毎に分類して蓄積する。
【００１５】
個人的注目度解析部４２は、各種記事に対するユーザの興味推定値である個人的注目度を求める。記事蓄積部３１には、各種記事を予め定めたカテゴリ毎に分類して蓄積する。個人的注目度解析部４２は、記事蓄積部３１に蓄積された各種記事の個人的注目度を求める。これにより、どの記事の個人的注目度が高く、どの記事の個人的注目度が低いのかを把握することができる。
個人的注目度は、ユーザ個人の記事に対する嗜好の度合いを特定する指標となる値であり、ユーザ個人の評価指標によって得られる。個人的注目度は、記事に対する得点、偏差値、順位、あるいはそれらを組み合わせたものがあげられる。個人的注目度の高い記事は、ユーザ個人がその記事に興味があることを意味し、個人的注目度の低い記事は、ユーザ個人がその記事に興味がないことを意味する。
【００１６】
社会的注目度解析部４３は、各種記事に対する他ユーザの興味推定値である社会的注目度を求める。記事蓄積部３１には、各種記事を予め定めたカテゴリ毎に分類して蓄積している。社会的注目度解析部４３は、記事蓄積部３１に蓄積された各種記事の社会的注目度を求める。これにより、どの記事の社会的注目度が高く、どの記事の社会的注目度が低いのか否かを把握することができる。
【００１７】
記事選択部４５は、操作表示部２０に表示する表示対象の記事を選択する。記事選択部４５は、表示対象の記事を表示する際の画面の表示形式に応じて、表示対象とされる所定数の記事を、個人的注目度解析部４２で求めた個人的注目度、社会的注目度解析部４３で求めた社会的注目度等を用いて選択する。
【００１８】
代表的な記事は、記事のページビュー、PageRank等の他のユーザによる注目度によって決定しても良く、情報量（文字数や写真の有無）等で決定しても良い。また、記事の一般的（マス的、平均値、社会的）な重要度を求めても良い。一定時間あたりの平均アクセス数、GoogleのPageRank、サイト内での扱い方（pickupされているか、掲載場所はどこか等）から重要度を計算する。
【００１９】
画像処理部４６は、操作表示部２０による操作を受け付けた場合、選択された１の記事に含まれる画像に、記事に対する所定の処理を実行するための各種アイコンを重ねて表示させる。このように表示させることにより、ユーザは、処理の対象となる記事を明確に把握することができる。処理の対象となる記事をより明確に把握できるようにするため、画像処理部４６は、選択された１の記事に含まれる画像を、複数の記事を覆うように操作表示部２０に表示させてもよく、選択された１の記事に含まれる画像を拡大して操作表示部２０に表示させてもよい。さらに、タイトルなど対象記事のテキスト情報の一部を表示させてもよい。
また、画像処理部４６は、選択された１の記事に含まれる画像の情報量を減少させて操作表示部２０に表示させてもよく、選択された１の記事に含まれる画像を、各画素を各画素の周辺画素の平均に置き換えることにより情報量を減少させて操作表示部２０に表示させてもよい。これにより、ユーザの意識を記事の画像よりもアイコン選択に向けさせるようにできる。
画像処理部４６における所定の処理を行うための操作は、例えば操作表示部２０の選択された記事の画面への長押しである。
【００２０】
ここで、記事に含まれる画像の情報量の減少は、上記各画素を周辺画素の平均への置き換えの他、例えば、モザイク処理、空間フィルタリング処理、平滑化処理、ガウシアンフィルタリング処理、もしくはラプラシアンフィルタリング処理等の公知の画像処理を施すことによっても実現できる。
【００２１】
画像処理部４６は、記事選択部４５で表示対象とされた記事を操作表示部２０に表示する。この場合、画像処理部４６は、記事蓄積部３１に蓄積された記事を用いて、記事選択部４５で表示対象とされた記事に対応する一覧用画像（サムネイル）を生成する。尚、画像処理部４６は、一覧用画像を生成するために、詳細情報や画像データ等の追加で取得が必要な所定種類の他の情報が存在する場合は、その所定種類の情報を追加情報として取得する。例えば、記事に画像データが存在しない場合は、その記事のカテゴリに対応する画像データを取得する。カテゴリに対応する画像データは、各種Ｗｅｂサーバ２００等から取得して記憶部３０等に予め記憶しておく。尚、記事蓄積部３１に蓄積された記事で一覧用画像を生成可能であれば、追加情報なしで一覧用画像を生成する。尚、画像処理部４６は、記事の取得のために配信される配信用情報を基に表示対象とされた記事の一覧用画像を作成することも可能である。配信用情報としては、ＲＳＳやＡｔｏｍフィード等の各種フィードが挙げられる。
【００２２】
次に、画像処理部４６は、設定された一覧画面の表示形式に応じて、生成した一覧用画像を所定の画面フォーマット内に配置し、操作表示部２０に表示させる一覧表示画面を生成し、操作表示部２０に表示する。一覧用画像は、個人的注目度解析部４２で求めた個人的注目度と、社会的注目度解析部４３で求めた社会的注目度と、に基づいて総合注目度の高いカテゴリ単位から順に並べられ、設定された表示形式に応じて、一覧表示画面の所定の画面フォーマット内に配置される。
【００２３】
＜操作表示部２０に表示される画面遷移例＞
図３（ａ）〜（ｄ）は、図１に示した情報処理装置に表示される画面遷移の一例を示す説明図である。
図３（ａ）は、情報処理装置１００の操作表示部２０に表示されたスプラッシュ画面と呼ばれる画面２０−１であり、ユーザの情報処理装置１００の操作表示部２０に表示される最初の画面の一例である。図３（ａ）ではほぼ三角形状のマークと文字とが長方形状の下地とともに所定時間表示された後、図３（ｂ）に示すようなトップ画面と呼ばれる画面２０−２に切り替わる。図３では、情報処理装置１００の操作表示部２０に表示される画面のみ表示する。
【００２４】
図３（ｂ）は、操作表示部２０に表示されたトップ画面と呼ばれる画面のステータスバー２１のアイコン２２−１をタップした時に表示される画面である（トップ画面は左側半分のみ表示されている。）。
画面２０−２のアイコン２２−１がタップされると、複数（図では１３個であるが限定されない）のリボン状のアイコン２３ａ〜２３ｍが縦一列に操作表示部２０の右半分、すなわちトップ画面を覆うように表示される。これらのアイコン２３ａ〜２３ｍのうちアイコン２３ａをタップすると、図３（ｃ）に示すようなスポーク画面と呼ばれる画面２０−３が操作表示部２０に表示される。アイコン２３ａ〜２３ｍは、操作表示部２０に表示する記事のカテゴリを選択するためのアイコンであり、個人的注目度の高い順に表示される。ユーザが表示対象の記事のアイコン（例えば、アイコン２３ａ）をタップして選択すると、そのアイコン２３ａに対応するカテゴリに属する複数の記事を操作表示部２０に表示することができる。
【００２５】
図３（ｃ）は、操作表示部２０に表示されたスポーク画面と呼ばれる画面２０−３であり、時間帯もしくはカテゴリに応じて複数のタイル状の記事２４ａ、２４ｂがサムネイル形式で表示される。記事２４ａ、２４ｂのうち特にユーザに興味度の高い記事が大サイズの記事２４ａとして表示される。ユーザが複数の記事２４ｂの中から記事２４ｂ−１を選択してタップすると、図３（ｄ）に示すようなディテール画面と呼ばれる画面２０−４が表示される。
【００２６】
図３（ｄ）は、操作表示部２０に表示されたディテール画面と呼ばれる画面２０−４であり、選択された記事２４ｂ−１に含まれる画像を操作表示部２０の画面サイズに応じて拡大表示した画面である。
【００２７】
操作表示部２０におけるこれらの画面２０−１〜２０−４のうち、ユーザ操作により、トップ画面からスポーク画面、スポーク画面からディテール画面に遷移したり、トップ画面からディテール画面に遷移したり、ディテール画面からトップ画面に遷移したりすることができる。
【００２８】
図４は、トップ画面の遷移例を示す説明図である。
［遷移例１］
操作表示部２０に表示された画面２０−１１の中の記事本文（見出しを含む）と画像とを含む記事２５ｂ−１の領域をユーザが長押しすると、情報処理装置１００の操作表示部２０に表示される画面は、画面２０−１１から画面２０−１６に遷移する。画面２０−１６は、記事に含まれる画像を背景画像２４として拡大するとともに情報量を減少させ、背景画像２４上に、記事に対する所定の処理を実行するための各種アイコン２５を重ね、各種アイコン２５以外の部分の背景画像２４が透過するようにして操作表示部２０に表示した画面である。
ここで、各種アイコン２５は、均一な輝度（明度もしくは彩度）で表示されるが、本発明はこれに限定されるものではなく、ユーザの興味度に応じてグレー表示したり、点滅したり、非表示したりしてもよい。
このため、ユーザが複数の記事からどの記事について選択表示したかが把握でき、記事についてユーザが最も処理したいアイコンを的確に選択することができる。
また、操作表示部２０の画面２０−６の記事の背景画像２４に対し、例えば、ガンマ補正を施して背景画像２４とアイコン２５との間に明度差が生じるようにシャドウが施されていてもよい。この場合、背景画像２４の色が白色に近く、アイコン２５の下地が白い場合であってもシャドウにより背景画像２４の全体の明度を下げることで相対的にアイコン２５の明度が上がるので、背景画像２４とアイコン２５との間のコントラストが増加し、ユーザに見やすくなるのでアイコン２５を選択しやすくなる。
【００２９】
本実施形態の情報処理装置１００は、記事２５ｂ−１に含まれる画像に対し情報量の減少を施した背景画像２４を画面２０−１６に重ねるとともに、背景画像２４にアイコン２５を重ねることにより、ユーザが閲覧中の記事が、画面２０−１６に表示された複数の記事のうちのどの記事なのかを把握することができると共に、その記事に対する所定の処理を実行するためのアイコン２５の選択を容易にすることができる。
【００３０】
［遷移例２］
操作表示部２０に表示された画面２０−１１の記事２５ｂ−１の領域をユーザがタップすると、その記事２５ｂ−１に対応するディテール画面２０−１４に遷移する。
ここで、ディテール画面の遷移について図５（ａ）、（ｂ）を参照して述べる。
図５（ａ）は、ディテール画面の一例であり、図５（ｂ）は、図５（ａ）のディテール画面に画像の情報量を減少させた背景画像を重ね、その背景画像の上にアイコンが透過するように配置した画面の一例である。
図５（ａ）にはディテール画面が示されており、ステータスバー２１と、画像２５ａａ、見出し２５ｃ、及び記事本文２５ｂを含む記事２６ａが画面２０−１７に表示されている。
図５（ａ）に示した画面２０−１７のステータスバー２１のメニューボタンとしてのアイコン２２−４をタップすると、操作表示部２０の画面が画面２０−１７から図５（ｂ）に示す画面２０−１８に遷移する。操作表示部２０は、画面２０−１７の上に画像２５ａａを拡大するとともに情報量を減少させた画像２５ａａ及び記事本文２５ｂの一部までの領域を重ねる。情報量を減少させた画像２５ａａの上に複数（図では９個であるが限定されない。）のアイコン２７が重ねられる。
この場合にも遷移例１と同様に、閲覧中の記事の内容を把握することができるとともに、その記事に対する所定の処理を実行するためのアイコン２７の選択を容易にすることができる。
【００３１】
［その他の遷移例］
図４の中央の画面２０−１１のステータスバー２１のアイコン２２−２をタップすることにより設定の画面２０−１２に遷移することができ、アイコン２２−３をタップすることにより天気予報の詳細を示す画面２０−１３に遷移することができ、アイコン２２−１１をタップすることによりリボンの画面２０−１５に遷移することができる。
【００３２】
＜動  作＞
次に図１に示した情報処理装置の動作について図面を参照して説明する。
図６は、図１に示した情報処理装置の動作を説明するためのフローチャートの一例である。動作の主体は制御部４０のマイクロプロセッサである。
複数の記事を含む画面２０−１１を操作表示部２０に表示する（図４、ステップＳ１）。
画面２０−１１の中の複数の記事２５ａ、２５ｂ−１〜２５ｂ−５の中から１つの記事の領域（例えば、記事２５ｂ−１の領域）が押されたか否かを判断し（ステップＳ２）、押されたと判断した場合（ステップＳ２／Ｙ）、長押しされたか否かを判断する（ステップＳ３）。記事２５ｂ−１の領域が長押しされたと判断した場合（ステップＳ３／Ｙ）、画面２０−１６上に長押しされた記事に含まれる画像を背景画像として拡大表示して情報量を減少させ、アイコン２５以外の部分の背景画像が透過するように操作表示部２０に表示し（図４、ステップＳ４）、ステップＳ１０へ進む。
【００３３】
記事２５ｂ−１の領域が長押しされていないと判断した場合（ステップＳ３／Ｎ）、押された記事２５ｂ−１に対応するディテール画面２０−１４を操作表示部２０にの表示し（図４、ステップＳ７）、メニューボタン２２−４が押されたか否かを判断する（ステップＳ８）。
メニューボタン２２−４が押されたと判断した場合（ステップＳ８／Ｙ）、記事１５ｂ−１に含まれる画像を背景画像として拡大表示して画像の情報量を減少させ、アイコン２５以外の部分の背景画像が透過するように操作表示部２０に表示し、ステップＳ１０へ進む（図４、ステップＳ９）。
ステップＳ１０では、いずれかのアイコン２５が押されたか否かを判断する。
アイコン２５が押されたと判断した場合（ステップＳ１０／Ｙ）、アイコン２５関連の処理を実施し（ステップＳ５）、終了する場合（ステップＳ６／Ｙ）、終了し、終了しない場合（ステップＳ６／Ｎ）、ステップＳ１に戻る。
以上の動作により、ユーザは表示中の複数の記事の中から選択した記事を把握しつつ、その記事に対する所定の処理を実行するためのアイコンの選択を容易にすることができる。
【００３４】
＜プログラム＞
以上で説明した本発明に係る情報処理装置は、コンピュータで処理を実行させるプログラムによって実現されている。コンピュータとしては、例えばパーソナルコンピュータが挙げられるが、発明はこれに限定されるものではない。よって、一例として、プログラムにより本発明の機能を実現する場合の説明を以下で行う。
【００３５】
例えば、
表示部と、操作部と、画像処理部と、を有する情報処理装置のコンピュータに、
表示部が、それぞれ画像を含む複数の記事を表示する手順、
操作部が、１以上の処理の対象とすべき１の記事を表示部に表示された複数の記事から選択する操作を受け付ける手順、
画像処理部が、操作を受け付けた場合、記選択された１の記事に含まれる画像に、記事を対象とする１以上の処理にそれぞれ対応する１以上のアイコンを重ねて表示部に表示させる手順、
を実行させるためのプログラムが挙げられる。
このようなプログラムは、コンピュータに読み取り可能な記憶媒体に記憶されていてもよい。
【００３６】
＜記憶媒体＞
ここで、記憶媒体としては、例えばＣＤ−ＲＯＭ、フレキシブルディスク（ＦＤ）、ＣＤ−Ｒ等のコンピュータで読み取り可能な記憶媒体、フラッシュメモリ、ＲＡＭ、ＲＯＭ、ＦｅＲＡＭ等の半導体メモリやＨＤＤが挙げられる。
【００３７】
ＣＤ−ＲＯＭは、Compact Disc Read Only Memoryの略である。フレキシブルディスクは、Flexible Disk：ＦＤを意味する。ＣＤ−Ｒは、CD Recordableの略である。ＲＡＭは、Random-Access Memoryの略である。ＲＯＭは、Read-Only Memoryの略である。ＦｅＲＡＭは、Ferroelectric RAMの略で、強誘電体メモリを意味する。ＨＤＤは、Hard Disc Driveの略である。
【００３８】
＜作用効果＞
以上より、表示部に表示した複数の記事の中から選択した記事に対する所定の処理（クリップ、いいね、コメント等の各種処理）を行う場合に、選択した記事に含まれる画像を背景画像として領域全体に拡大して表示し、その背景画像上に、記事に対する所定の処理を実行するための各種アイコンを重ね、アイコン以外の部分の背景画像が透過するように表示部に表示する。これにより、閲覧中の記事を把握しつつ、その記事に対する所定の処理を実行するためのアイコンの選択を容易にすることができる。
【００３９】
尚、上述した実施の形態は、本発明の好適な実施の形態の一例を示すものであり、本発明はそれに限定されることなく、その要旨を逸脱しない範囲内において、種々変形実施が可能である。
【符号の説明】
【００４０】
１０    通信部
２０    操作表示部
２０−１〜２０−４    画面
２１    ステータスバー
２２−１〜２２−４、２３ａ〜２３ｍ    アイコン
２４ａ、２４ａ−１、２５ａａ    画像
２４ｂ、２５ｂ−１    記事
２５、２７    アイコン
３０    記憶部
３１    記事蓄積部
４０    制御部
４１    記事取得部
４２    個人的注目度解析部
４３    社会的注目度解析部
４５    記事選択部
４６    画像処理部
１００    情報処理装置
２００    各種Ｗｅｂサーバ
【図１】
0005993912.tif 000002
【図２】
0005993912.tif 000003
【図３】
0005993912.tif 000004
【図４】
0005993912.tif 000005
【図５】
0005993912.tif 000006
【図６】
0005993912.tif 000007